(57)【要約】      （修正有）【課題】完全に水を遮断し，不快感も無く受傷部分の保護が可能な医療用防水プロテクターを提供する。【解決手段】一種の医療用防水プロテクターの環状留め具及び防水カバーで、四肢の受傷部分或いは骨折部分の保護と防水をする。【選択図】図７
2005066301.tif 000002
【特許請求の範囲】
【請求項１】
四肢にフィットする柔軟且つ強靭な材質で、開口部が肢体の部分より大きな防水カバーと環状の留め具を特長とする医療用防水プロテクター。
【請求項２】
請求項１の環状留め具は２種類からなり、１つは、防水カバーの内側に設置され、ベルト部分とベルトを差し込む溝からなる。
また、もう一方は防水カバーの外側に設置され、面ファスナー及びバックル付きのベルトからなる。またその２つは同一の位置に設置される。
【請求項３】
環状留め具の１つである防水カバーの内側に設置されるベルトは、身体に馴染み易い優れた弾性材質で、室温領域においてガラス転移温度を持ちこの温度領域において高い制振特性を持つポリスチレンとビニルポリイソプレンの共重合体を主成分とする発泡体である。
【請求項４】
請求項１記載の医療用防水プロテクターは，外側のベルトと防水カバーの間に耐圧マットを入れる事により密着性を向上させ、防水性をアップさせることが出来る。
【発明の詳細な説明】
【発明の詳細な説明】
【発明が属する技術分野】
【０００１】  本発明は，一種の医療用防水プロテクターの環状留め具及び防水カバーで、四肢の受傷部分或いは骨折部分の保護と防水のための装具である。
【背景技術】
【０００２】  一般的に肢体患部や骨折のギブスは、感染を防ぐため乾燥させることが必要で、患者を洗浄する時は、水にぬれないような防水の装具が必要である。【０００３】  そのため，これらの問題を解決するため，種々の防水装具が考えられ市販されている。１つはドライソックス（図１）と呼ばれ、四肢（手、脚）の形状に合わせて高弾性の材質（ラテックスゴム）で作られ、その開口部は四肢の直径より小さい。受傷した肢体を（１０）のカバーに入れて固定させ（図２）、外側に設置された空気抜き穴（１０１）からゴム球で空気を抜き気密化する。気密化によりカバーが肢体に密着するため防水効果が計れる。
また、もう１つは簡易型の防水カバー（図３）で四肢の形に合わせて塩化ビニールで作られており（１１）、その開口部は内側に環状の枠（１１１）、並びに弾性の留め具（１１２）、留め口（１１２ａ）からなり、受傷の部位を挿入させ、固定させる。留め口は、防水の役目を要している。
【発明が解決しようとする課題】
【０００４】  しかし、前述した両者の防水カバー（１０，１１）は、非常に高価であり１０の空気抜きの防水カバーについては、１０１の空気穴から空気を抜き真空状態にして防水効果を出すが、真空状態にすると受傷部分に不快感を生じ又、骨折のギブスに対しても不適である。また入り口１０ａは、直径が小さく石膏部分の挿入が困難である。
また、１１の防水カバーは弾性の留め口（１１２ａ）を利用して受傷部分を固定、防水する役目であるが、そのような装置では防水性が十分でなく水が浸入することがある。また環状の枠（１１１）は、硬く非常に不快感を与え、動作中にも違和感を生じ、（１１１）と（１１２），（１１２ａ）との相互役割が発揮されず（１１２ａ）が捩れやすく完全に防水効果が発揮できない。
【０００５】  本発明は、上記の事情に鑑みなされた物で，完全に水を遮断し，不快感も無く受傷部分の保護が可能な安価な医療用防水プロテクターを提供する事を目的とする。
【課題を解決するための手段】
【０００６】  本発明の防水プロテクターは、環状の留め具と柔軟且つ強靭性のある防水材料で作られその開口部は肢体より大きい。環状留め具装置（３０）（図５，６，７参照）の１つはまた、柔軟性で巻き付けやすい材質でポリスチレンとビニルポリイソプレンのブロック共重合に発泡剤や架橋剤を配合して発泡させ、求める厚さにスライスして作られ（３０１）、差込みベルト（３０２）及び、差込み溝（３０３）からなる。
【０００７】  このものは防水カバー（２０）の開口部（２０１）の内側に設置され、又もう一方の面ファスナー付きのベルト（４０）は、防水カバーの外側に設置される。（４０）のベルトのバックル部分（４０１）と環状留め具（３０１）の差込み溝（３０３）の部分は同位置になるように設定される。
【発明の効果】
【０００８】  図８のように本発明の防水カバー（２０）の開口部（２０１）に受傷者の受傷部位を挿入し、肢体の大きさに合わせて環状留め具（３０１）のベルト（３０２）を折り返して調節し、溝（３０３）に挿入する。これにより防水カバー（２０）の開口部（２０１）と環状留め具（３０１）の直径が肢体の部位と同一となる。それと同時に留めベルト（４０）の先端部をバックル（４０１）に差込み強く締め更に肢体と密着させる。最後に面ファスナーのベルトを逆方向に締めて肢体に固定させることによって水の侵入を防止する。
【０００９】  また完全な防水が必要な患者には、環状ベルト（４０）の先端部分をバックル（４０１）に差し込んだ時、（４０１）の下方部分と防水カバー（２０）の間に耐圧性の発泡体を差し込み、バックル（４０１）を強く締め面ファスナーで固定することによって密着性を増強させ防水効果を更に発揮させることが可能である。
【製造例１】
【００１０】    ポリスチレンとビニルポリイソプレンのブロック共重合体〔（株）クラレ製  ハイブラー〕７０部、ＥＶＡ３０部、カルシュームカーボネート１００部、ステアリン酸２部，ＤＯＰ４部，架橋剤０．４部，発泡剤８部，顔料０．５部をニーダーに入れ温度１１０℃で混練する。次いでロールにより薄く板状にし、３０ｍｍの金型に入れ，プレス温度１６５℃で１５分間プレス架橋を行って，発泡倍率５倍、硬土２、反発弾性１７％の制振性及び柔軟性に優れた発泡体を製造した。
【実施例１】
【００１１】    腕を骨折した患者が入浴するに当り、本発明の防水カバーの開口部に受傷部を挿入し、腕に密着するよう製造例１の発泡体で作った環状留め具のベルトを折り曲げ、溝に差込んだ後、外側の留めベルトの先端をバックルに差込み強く締め腕に密着させ、ついで面ファスナーのベルトを逆方向に締めて固定を行った。
受傷部をお湯の中に浸漬して従来通りの入浴を行ったところ、水の侵入もなく快適に入浴が楽しめた。また防水カバーの開口部が広いためギブスをした腕でも簡単に装着が可能であった。
【実施例２】
【００１２】    腕の怪我治療中の患者が入浴するに当り、本発明の防水カバーの開口部に受傷部を挿入し、実施例１と同様の操作を行い固定を行った際、防水カバーと外側の留めベルトのバックルの間に耐圧性の発泡体を差込んだところ密着性が増強され、ケガにより完璧な防水性が必要な患者でも、使用が可能なことが判明した。
【実施例３】
【００１３】    脚の怪我治療中の患者が、シャワーを浴びるに当り、（図８）の様に本発明の防水カバーの開口部に受傷部を挿入し、環状留め具（３０）を必要な所に固定した後、防水カバーの先端を環状留め具を支点として折り曲げて重ねた状態でシャワーを浴びた所、防水効果が更に高められ水の侵入が皆無となり、安心してシャワーが行えた。
【図面の簡単な説明】
【００１４】
【図１】従来の防水用装具
【図２】従来の防水用装具の実施図
【図３】従来の防水用装具の分解図
【図４】従来の防水用装具の実施図
【図５】本発明の環状留め具の分解図
【図６】本発明の防水プロテクターの立体図
【図７】本発明の防水プロテクターの動作図
【図８】本発明実施例３の実施図
【符号の説明】
１０      防水カバー
１１      防水カバー
２０      防水カバー
１０ａ    開口部
１０１    空気抜き穴
１１１    環状の枠
１１２    弾性の留め具
１１２ａ  留め口
２０１    開口部
３０      環状留め装具
３０１    環状留め具
３０２    差込みベルト
３０３    差込み溝
４０      ベルト
４０１    バックル
【図１】
2005066301.tif 000003
【図２】
2005066301.tif 000004
【図３】
2005066301.tif 000005
【図４】
2005066301.tif 000006
【図５】
2005066301.tif 000007
【図６】
2005066301.tif 000008
【図７】
2005066301.tif 000009
【図８】
2005066301.tif 000010